(57)【要約】【課題】バックアップデータの作成を簡易に行うとともに、そのバックアップデータを安全かつ簡易に復元できるデータバックアップシステムを提供する。【解決手段】暗号情報読取手段９２は、復号装置９０に暗号情報記憶媒体８６が接続されたときに、データ暗号鍵、及び暗号化認証情報を読み取る。認証情報復号手段９３は、暗号化認証情報を認証情報暗号鍵を使用して復号する。認証手段９４は、認証情報と復号装置記憶手段９１に記憶された認証情報とを比較して一の携帯端末８０の使用者を認証する。復号装置９０にデータ記憶媒体８５が接続され認証に成功しているときに、データ復号手段９５は、暗号情報読取手段９２が読み取ったデータ暗号鍵を使用してバックアップデータを復号した復号データを作成する。復号データ登録手段９６は、復号データを一の携帯端末８０又は他の携帯端末に登録する。【選択図】図１０
2010199979.tif 000002
【特許請求の範囲】
【請求項１】
一の携帯端末と、
前記一の携帯端末が接続されたときに、当該一の携帯端末に対して充電を行う充電器と、
前記充電器に着脱可能な記憶媒体であるデータ記憶媒体と、
前記一の携帯端末に記憶されたデータを暗号化するためのデータ暗号鍵、及び前記一の携帯端末の使用者を識別する認証情報を暗号化した暗号化認証情報とを記憶する暗号情報記憶媒体と、
バックアップデータを復号して、前記一の携帯端末又は他の携帯端末にリストアする復号装置とを備え、
前記一の携帯端末は、
前記暗号情報記憶媒体に記憶されたデータ暗号鍵と同一のデータ暗号鍵を記憶するデータ暗号鍵記憶手段と、
前記データ暗号鍵を使用して当該一の携帯端末に記憶されたデータを暗号化したバックアップデータを作成する暗号化手段と、
当該一の携帯端末が前記充電器に接続されたときに、当該充電器に装着された前記データ記憶媒体に前記バックアップデータを登録するデータ登録手段とを備え、
前記復号装置は、
前記認証情報と当該認証情報を暗号化するための認証情報暗号鍵とを記憶する復号装置記憶手段と、
前記暗号情報記憶媒体が装着されたときに、当該暗号情報記憶媒体に記憶されたデータ暗号鍵、及び暗号化認証情報を読み取る暗号情報読取手段と、
前記暗号情報読取手段が読み取った暗号化認証情報を前記認証情報暗号鍵を使用して復号する認証情報復号手段と、
前記認証情報復号手段が復号した認証情報と前記復号装置記憶手段に記憶された認証情報とを比較して一の携帯端末の使用者を認証する認証手段と、
前記データ記憶媒体が接続され認証に成功しているときに、前記暗号情報読取手段が読み取ったデータ暗号鍵を使用して当該データ記憶媒体に記憶された前記バックアップデータを復号した復号データを作成するデータ復号手段と、
前記復号データを前記一の携帯端末又は他の携帯端末に登録する復号データ登録手段とを備えた
ことを特徴とするデータバックアップシステム。
【請求項２】
復号装置は、
暗号情報読取手段が暗号情報記憶媒体から読み取ったデータ暗号鍵を他の携帯端末に登録する第１データ暗号鍵登録手段を備えた
請求項１記載のデータバックアップシステム。
【請求項３】
復号装置は、
データ暗号鍵を生成するデータ暗号鍵生成手段と、
前記データ暗号鍵を、暗号情報記憶媒体、及び一の携帯端末に登録する第２データ暗号鍵登録手段とを備えた
請求項１または請求項２に記載のデータバックアップシステム。
【請求項４】
復号装置は、
復号装置記憶手段に記憶された認証情報を、認証情報暗号化キーを使用して暗号化した暗号化認証情報を作成する認証情報暗号化手段と、
前記暗号化認証情報を前記暗号情報記憶媒体に登録する暗号化認証情報登録手段とを備えた
請求項１から請求項３のいずれか１項に記載のデータバックアップシステム。
【請求項５】
暗号情報記憶媒体は、暗号化認証情報として、一の携帯端末の使用者を識別するために生体認証で用いられる生体認証情報を含む認証情報を暗号化した暗号化認証情報を記憶し、
復号装置記憶手段は、前記認証情報を記憶し、
認証手段は、認証情報復号手段が復号した前記生体認証情報と、復号装置記憶手段に記憶された前記認証情報に含まれる生体認証情報とを比較して一の携帯端末の使用者を認証する
請求項１から請求項４のいずれか１項に記載のデータバックアップシステム。
【請求項６】
一の携帯端末の使用者を識別する認証情報と当該認証情報を暗号化するための認証情報暗号鍵とを記憶する復号装置記憶手段と、
一の携帯端末に記憶されたデータを暗号化するためのデータ暗号鍵、及び前記認証情報を暗号化した暗号化認証情報とを記憶する暗号情報記憶媒体が装着されたときに、当該暗号情報記憶媒体に記憶されたデータ暗号鍵、及び暗号化認証情報を読み取る暗号情報読取手段と、
前記暗号情報読取手段が読み取った暗号化認証情報を前記認証情報暗号鍵を使用して復号する認証情報復号手段と、
前記認証情報復号手段が復号した認証情報と前記復号装置記憶手段に記憶された認証情報とを比較して一の携帯端末の使用者を認証する認証手段と、
前記一の携帯端末に記憶されたデータを暗号化したバックアップデータを記憶した記憶媒体であるデータ記憶媒体が接続され認証に成功しているときに、当該データ記憶媒体に記憶された前記バックアップデータを前記暗号情報読取手段が読み取ったデータ暗号鍵を使用して復号した復号データを作成するデータ復号手段と、
前記復号データを前記一の携帯端末又は他の携帯端末に登録する復号データ登録手段とを備えた
ことを特徴とする復号装置。
【請求項７】
暗号情報読取手段が暗号情報記憶媒体から読み取ったデータ暗号鍵を他の携帯端末に登録するデータ暗号鍵登録手段を備えた
請求項６記載の復号装置。
【請求項８】
データを暗号化するためのデータ暗号鍵を記憶するデータ暗号鍵記憶手段と、
前記データ暗号鍵を使用してデータを暗号化したバックアップデータを作成する暗号化手段と、
着脱可能な記憶媒体であるデータ記憶媒体を装着した充電器に接続されたときに、当該データ記憶媒体に前記バックアップデータを登録するデータ登録手段とを備えた
ことを特徴とする携帯端末。
【請求項９】
一の携帯端末に記憶されたデータを暗号化するためのデータ暗号鍵を使用して当該一の携帯端末に記憶されたデータを暗号化したバックアップデータを作成する暗号化ステップと、
前記一の携帯端末に対して充電を行う充電器に前記一の携帯端末が接続されたときに、当該充電器に装着された着脱可能な記憶媒体であるデータ記憶媒体に前記バックアップデータを登録するデータ登録ステップと、
前記一の携帯端末がデータを暗号化するために使用したデータ暗号鍵と同一のデータ暗号鍵、及び前記一の携帯端末の使用者を識別する認証情報を暗号化した暗号化認証情報とを記憶する暗号情報記憶媒体が、前記一の携帯端末又は他の携帯端末に前記バックアップデータを復号してリストアする復号装置に装着されたときに、当該暗号情報記憶媒体に記憶されたデータ暗号鍵、及び暗号化認証情報を読み取る暗号情報読取ステップと、
前記暗号情報読取ステップで読み取った暗号化認証情報を、認証情報を暗号化するための認証情報暗号鍵を使用して復号する認証情報復号ステップと、
前記認証情報復号ステップで復号した認証情報と、前記認証情報と前記認証情報暗号鍵とを記憶する復号装置記憶手段に記憶された認証情報とを比較して一の携帯端末の使用者を認証する認証ステップと、
前記データ記憶媒体が装着され認証に成功しているときに、前記暗号情報読取ステップで読み取ったデータ暗号鍵を使用して当該データ記憶媒体に記憶された前記バックアップデータを復号した復号データを作成するデータ復号ステップと、
前記復号データを前記一の携帯端末又は他の携帯端末に登録する復号データ登録ステップとを含む
ことを特徴とするデータバックアップ方法。
【請求項１０】
暗号情報読取ステップで、復号装置が暗号情報記憶媒体から読み取ったデータ暗号鍵を他の携帯端末に登録する
請求項９記載のデータバックアップ方法。
【請求項１１】
一の携帯端末に記憶されたデータを暗号化したバックアップデータを復号して、前記一の携帯端末又は他の携帯端末にリストアするコンピュータに搭載される復号プログラムであって、
前記コンピュータに、
前記一の携帯端末に記憶されたデータを暗号化するためのデータ暗号鍵、及び前記一の携帯端末の使用者を識別する認証情報を暗号化した暗号化認証情報とを記憶する暗号情報記憶媒体が装着されたときに、当該暗号情報記憶媒体に記憶されたデータ暗号鍵、及び暗号化認証情報を読み取る暗号情報読取処理、
前記暗号情報読取処理で読み取った暗号化認証情報を、認証情報を暗号化するための認証情報暗号鍵を使用して復号する認証情報復号処理、
前記認証情報復号処理で復号した認証情報と、前記認証情報と前記認証情報暗号鍵とを記憶する復号装置記憶手段に記憶された認証情報とを比較して一の携帯端末の使用者を認証する認証処理、
前記一の携帯端末に記憶されたデータを暗号化したバックアップデータを記憶する記憶媒体であるデータ記憶媒体が当該コンピュータに接続されたときに、前記暗号情報読取処理で読み取ったデータ暗号鍵を使用して当該データ記憶媒体に記憶された前記バックアップデータを復号した復号データを作成するデータ復号処理、および、
前記復号データを前記一の携帯端末又は他の携帯端末に登録する復号データ登録処理
を実行させるための復号プログラム。
【請求項１２】
コンピュータに、
暗号情報読取処理で読み取ったデータ暗号鍵を他の携帯端末に登録するデータ暗号鍵登録処理
を実行させる請求項１１記載の復号プログラム。
【請求項１３】
コンピュータに、
当該コンピュータに記憶されたデータを暗号化するためのデータ暗号鍵を使用して当該コンピュータに記憶されたデータを暗号化したバックアップデータを作成する暗号化処理、および、
着脱可能な記憶媒体であるデータ記憶媒体を装着した充電器に当該コンピュータが接続されたときに、当該データ記憶媒体に前記バックアップデータを登録するデータ登録処理
を実行させるためのデータバックアッププログラム。
【発明の詳細な説明】
【技術分野】
【０００１】
本発明は、携帯端末に記憶されたデータをバックアップするデータバックアップシステム、及びそのデータバックアップシステムに適用される復号装置、携帯端末、データバックアップ方法、復号プログラム、データバックアッププログラムに関する。
【背景技術】
【０００２】
携帯端末に記憶されているデータをバックアップする技術が種々提案されている。
【０００３】
特許文献１には携帯型電話機のデータバックアップシステムが記載されている。特許文献１に記載されたデータバックアップシステムは、データバックアップ装置に携帯型電話機が蓄電のために装着されたときに、データバックアップ装置が、携帯型電話機に記憶されたバックアップすべきデータを読み取る。データバックアップ装置は、蓄電に連動して読み取ったデータを、自動的にデータベースセンターへ通信モデム等を介して送信する。データを受信したデータベースセンターは、そのデータを適宜な記憶媒体に記憶して保存する。
【０００４】
特許文献２には手軽にデータのバックアップができる携帯端末の充電器が記載されている。特許文献２に記載された充電器は、携帯電話機に記憶されるデータを保存するための不揮発性メモリカードを備える。携帯電話機がその携帯電話機内の充電式電池に充電を開始すると、充電制御部はデータバックアップ制御部に対し、携帯電話機内の個人データ用メモリに保存されているデータのバックアップを要求する。制御部は、個人データ用メモリに保存されているデータを不揮発メモリに転送する。
【０００５】
特許文献３には携帯端末内のデータを安全にバックアップするバックアップ方法が記載されている。特許文献３に記載されたバックアップ方法は、携帯端末の認証情報取得部が、認証を受けるための認証情報をサーバから受信する。暗号化処理部は、取得した認証情報に基づいてサーバにバックアップするデータを暗号化する。認証要求部は、認証情報を用いてサーバに認証を要求する。認証が成立した場合、携帯端末の送信部は、暗号化処理部が暗号化した暗号化データをサーバに送信する。
【先行技術文献】
【特許文献】
【０００６】
【特許文献１】特開２００２−３３７９８号公報（段落００７７、００８２、００８８、図２）
【特許文献２】特開２００５−２６０４６１号公報（段落００４９〜００５３、図１）
【特許文献３】特開２００６−２１１０５１号公報（段落００５０、図１、２）
【発明の概要】
【発明が解決しようとする課題】
【０００７】
特許文献１に記載されたデータバックアップシステムは、充電の度に記憶情報をデータベースセンターに送信するため、通信が出来ない環境ではバックアップを行うことが出来ない。すなわち、一部でもバックアップデータを復元するために必要な情報がバックアップセンターに存在しない場合、バックアップ機能の本来の機能を失うという問題がある。
【０００８】
また、データバックアップ装置と、データベースセンターの２か所でデータを管理する方法も開示されているが、この場合２か所のデータを相互に管理する必要がある。そのため、バックアップデータの作成が煩雑で、バックアップデータの復元方法も簡易であるとは言えなかった。
【０００９】
さらに、加入者番号や任意の識別番号のみでバックアップデータが識別されるため、バックアップデータが安全に管理されているとは言えなかった。
【００１０】
特許文献２に記載された充電器は、使用者の認証方法が携帯電話機の操作で可能なものに限定されるため、携帯電話機を紛失した場合には、バックアップデータの復元が煩雑になるという課題がある。
【００１１】
特許文献３に記載されたバックアップ方法では、携帯端末の使用者が意識してバックアップアプリケーションを実行する必要がある。そのため、使用者によっては、データのバックアップ間隔が長くなったり、バックアップ自体が実施されなかったりすることにより、データのバックアップが適切に行われないという課題がある。
【００１２】
また、バックアップデータを記憶する記憶媒体の多様化に伴い、バックアップデータそのものに対してもより高い安全性が求められている。
【００１３】
そこで、本発明はバックアップデータの作成を簡易に行うとともに、そのバックアップデータを安全かつ簡易に復元できるデータバックアップシステム、及びそのデータバックアップシステムに適用される復号装置、携帯端末、データバックアップ方法、復号プログラム、データバックアッププログラムを提供することを目的とする。
【課題を解決するための手段】
【００１４】
本発明によるデータバックアップシステムは、一の携帯端末と、一の携帯端末が接続されたときに、一の携帯端末に対して充電を行う充電器と、充電器に着脱可能な記憶媒体であるデータ記憶媒体と、一の携帯端末に記憶されたデータを暗号化するためのデータ暗号鍵、及び一の携帯端末の使用者を識別する認証情報を暗号化した暗号化認証情報とを記憶する暗号情報記憶媒体と、バックアップデータを復号して、一の携帯端末又は他の携帯端末にリストアする復号装置とを備え、一の携帯端末が、暗号情報記憶媒体に記憶されたデータ暗号鍵と同一のデータ暗号鍵を記憶するデータ暗号鍵記憶手段と、データ暗号鍵を使用して一の携帯端末に記憶されたデータを暗号化したバックアップデータを作成する暗号化手段と、一の携帯端末が充電器に接続されたときに、充電器に装着されたデータ記憶媒体にバックアップデータを登録するデータ登録手段とを備え、復号装置が、認証情報と認証情報を暗号化するための認証情報暗号鍵とを記憶する復号装置記憶手段と、暗号情報記憶媒体が装着されたときに、暗号情報記憶媒体に記憶されたデータ暗号鍵、及び暗号化認証情報を読み取る暗号情報読取手段と、暗号情報読取手段が読み取った暗号化認証情報を認証情報暗号鍵を使用して復号する認証情報復号手段と、認証情報復号手段が復号した認証情報と復号装置記憶手段に記憶された認証情報とを比較して一の携帯端末の使用者を認証する認証手段と、データ記憶媒体が接続され認証に成功しているときに、暗号情報読取手段が読み取ったデータ暗号鍵を使用してデータ記憶媒体に記憶されたバックアップデータを復号した復号データを作成するデータ復号手段と、復号データを一の携帯端末又は他の携帯端末に登録する復号データ登録手段とを備えたことを特徴とする。
【００１５】
本発明による復号装置は、一の携帯端末の使用者を識別する認証情報と認証情報を暗号化するための認証情報暗号鍵とを記憶する復号装置記憶手段と、一の携帯端末に記憶されたデータを暗号化するためのデータ暗号鍵、及び認証情報を暗号化した暗号化認証情報とを記憶する暗号情報記憶媒体が装着されたときに、暗号情報記憶媒体に記憶されたデータ暗号鍵、及び暗号化認証情報を読み取る暗号情報読取手段と、暗号情報読取手段が読み取った暗号化認証情報を認証情報暗号鍵を使用して復号する認証情報復号手段と、認証情報復号手段が復号した認証情報と復号装置記憶手段に記憶された認証情報とを比較して一の携帯端末の使用者を認証する認証手段と、一の携帯端末に記憶されたデータを暗号化したバックアップデータを記憶した記憶媒体であるデータ記憶媒体が接続され認証に成功しているときに、データ記憶媒体に記憶されたバックアップデータを暗号情報読取手段が読み取ったデータ暗号鍵を使用して復号した復号データを作成するデータ復号手段と、復号データを一の携帯端末又は他の携帯端末に登録する復号データ登録手段とを備えたことを特徴とする。
【００１６】
本発明による携帯端末は、データを暗号化するためのデータ暗号鍵を記憶するデータ暗号鍵記憶手段と、データ暗号鍵を使用してデータを暗号化したバックアップデータを作成する暗号化手段と、着脱可能な記憶媒体であるデータ記憶媒体を装着した充電器に接続されたときに、データ記憶媒体にバックアップデータを登録するデータ登録手段とを備えたことを特徴とする。
【００１７】
本発明によるデータバックアップ方法は、一の携帯端末に記憶されたデータを暗号化するためのデータ暗号鍵を使用して一の携帯端末に記憶されたデータを暗号化したバックアップデータを作成する暗号化ステップと、一の携帯端末に対して充電を行う充電器に一の携帯端末が接続されたときに、充電器に装着された着脱可能な記憶媒体であるデータ記憶媒体にバックアップデータを登録するデータ登録ステップと、一の携帯端末がデータを暗号化するために使用したデータ暗号鍵と同一のデータ暗号鍵、及び一の携帯端末の使用者を識別する認証情報を暗号化した暗号化認証情報とを記憶する暗号情報記憶媒体が、一の携帯端末又は他の携帯端末にバックアップデータを復号してリストアする復号装置に装着されたときに、暗号情報記憶媒体に記憶されたデータ暗号鍵、及び暗号化認証情報を読み取る暗号情報読取ステップと、暗号情報読取ステップで読み取った暗号化認証情報を、認証情報を暗号化するための認証情報暗号鍵を使用して復号する認証情報復号ステップと、認証情報復号ステップで復号した認証情報と、認証情報と認証情報暗号鍵とを記憶する復号装置記憶手段に記憶された認証情報とを比較して一の携帯端末の使用者を認証する認証ステップと、データ記憶媒体が装着され認証に成功しているときに、暗号情報読取ステップで読み取ったデータ暗号鍵を使用してデータ記憶媒体に記憶されたバックアップデータを復号した復号データを作成するデータ復号ステップと、復号データを一の携帯端末又は他の携帯端末に登録する復号データ登録ステップとを含むことを特徴とする。
【００１８】
本発明による復号プログラムは、一の携帯端末に記憶されたデータを暗号化したバックアップデータを復号して、一の携帯端末又は他の携帯端末にリストアするコンピュータに搭載される復号プログラムであって、コンピュータに、一の携帯端末に記憶されたデータを暗号化するためのデータ暗号鍵、及び一の携帯端末の使用者を識別する認証情報を暗号化した暗号化認証情報とを記憶する暗号情報記憶媒体が装着されたときに、暗号情報記憶媒体に記憶されたデータ暗号鍵、及び暗号化認証情報を読み取る暗号情報読取処理、暗号情報読取処理で読み取った暗号化認証情報を、認証情報を暗号化するための認証情報暗号鍵を使用して復号する認証情報復号処理、認証情報復号処理で復号した認証情報と、認証情報と認証情報暗号鍵とを記憶する復号装置記憶手段に記憶された認証情報とを比較して一の携帯端末の使用者を認証する認証処理、一の携帯端末に記憶されたデータを暗号化したバックアップデータを記憶する記憶媒体であるデータ記憶媒体がコンピュータに接続されたときに、暗号情報読取処理で読み取ったデータ暗号鍵を使用してデータ記憶媒体に記憶されたバックアップデータを復号した復号データを作成するデータ復号処理、および、復号データを一の携帯端末又は他の携帯端末に登録する復号データ登録処理を実行させることを特徴とする。
【００１９】
本発明によるデータバックアッププログラムは、コンピュータに、コンピュータに記憶されたデータを暗号化するためのデータ暗号鍵を使用してコンピュータに記憶されたデータを暗号化したバックアップデータを作成する暗号化処理、および、着脱可能な記憶媒体であるデータ記憶媒体を装着した充電器にコンピュータが接続されたときに、データ記憶媒体にバックアップデータを登録するデータ登録処理を実行させることを特徴とする。
【発明の効果】
【００２０】
本発明によれば、バックアップデータの作成を簡易に行うとともに、そのバックアップデータを安全かつ簡易に復元できる。
【図面の簡単な説明】
【００２１】
【図１】本発明の第１の実施形態におけるデータバックアップシステムを示すブロック図である。
【図２】携帯電話端末１０を携帯電話充電器２０に装着する場合の例を示す説明図である。
【図３】携帯電話端末１０を使用者に供給する場合の例を示すフローチャートである。
【図４】携帯電話端末１０を充電する場合の例を示すフローチャートである。
【図５】携帯電話端末１０にバックアップデータを復元する場合の例を示すフローチャートである。
【図６】復号装置５０から、携帯電話端末１０にバックアップデータを復元する場合の例を示す説明図である。
【図７】本発明の第２の実施形態におけるデータバックアップシステムを示すブロック図である。
【図８】新規の携帯電話端末７０にバックアップデータを書き込む処理の例を示すフローチャートである。
【図９】復号装置５０から、新規の携帯電話端末７０にバックアップデータを復元する場合の例を示す説明図である。
【図１０】本発明におけるデータバックアップシステムの概要を示すブロック図である。
【発明を実施するための形態】
【００２２】
以下、本発明の実施形態を図面を参照して説明する。
【００２３】
実施形態１．
図１は、本発明の第１の実施形態におけるデータバックアップシステムを示すブロック図である。本実施形態によるデータバックアップシステムは、携帯電話端末１０と、携帯電話充電器２０と、バックアップデータカード３０と、暗号キーデータカード４０と、復号装置５０とを備えている。
【００２４】
携帯電話充電器２０は、携帯電話端末１０を着脱可能な充電器である。例えば、携帯電話端末１０が、充電式電池（図示せず）を備え、さらに、携帯電話充電器２０からその充電式電池に電力を供給するための端子（図示せず）を備えている場合であれば、携帯電話端末１０を携帯電話充電器２０に装着したときに、携帯電話充電器２０は、その端子を介して充電式電池に電力を供給してもよい。
【００２５】
バックアップデータカード３０は、携帯電話充電器２０に着脱可能な記憶媒体である。バックアップデータカード３０が携帯電話充電器２０に装着されている状態で、携帯電話端末１０が携帯電話充電器２０に装着されると、バックアップデータカード３０は、携帯電話充電器２０を介して、携帯電話端末１０から送信されるデータを記憶する。
【００２６】
バックアップデータカード３０の例として、不揮発性のメモリであるＳＤ（Secure Digital ）メモリカードが挙げられるが、バックアップデータカード３０は、ＳＤメモリカードに限定されない。
【００２７】
携帯電話端末１０は、記憶部１１とデータ登録部１２とを備えている。
【００２８】
記憶部１１は、携帯電話端末１０に記憶されたデータを暗号化する暗号キー等を記憶する記憶装置である。暗号キーの例として、共通鍵が挙げられるが、暗号キーは共通鍵に限定されない。なお、本実施形態では、後述する暗号キーは復号装置５０で作成され、その暗号キーが記憶部１１に記憶されている場合を例に説明する。
【００２９】
データ登録部１２は、バックアップが必要なデータを記憶部１１に記憶された暗号キーを用いて暗号化する。以下、バックアップのために暗号化されたデータをバックアップデータと記す。また、データ登録部１２は、携帯電話端末１０が携帯電話充電器２０に装着されたとき、携帯電話充電器２０を介して、バックアップデータをバックアップデータカード３０に登録する。
【００３０】
暗号化の方法の例として、共通鍵方式による暗号化アルゴリズムを使用する方法などがあげられるが、暗号化の方法は、共通鍵方式による暗号化アルゴリズムを使用する場合に限定されない。また、共通鍵方式による暗号化アルゴリズムについては広く知られているため、ここでは詳細な説明を省略する。
【００３１】
データ登録部１２は、例えば、プログラムに従って動作する携帯電話端末１０のＣＰＵ（Central Processing Unit ）によって実現される。例えば、プログラムは、携帯電話端末１０の記憶部１１に記憶され、ＣＰＵは、そのプログラムを読み取り、プログラムに従ってデータ登録部１２として動作してもよい。
【００３２】
暗号キーデータカード４０は、携帯電話端末１０と一対一に対応するものであり、携帯電話端末１０の使用者が所持する記憶媒体である。暗号キーデータカード４０は、携帯電話端末１０が記憶する暗号キーと、携帯電話端末１０の使用者を識別する使用者認証情報を暗号化した情報（以下、暗号化使用者認証情報と記す。）を記憶する。なお、本実施形態では、暗号キー、及び暗号化使用者認証情報は復号装置５０で生成され、その暗号キー、及び暗号化使用者認証情報が暗号キーデータカード４０に記憶されている場合を例に説明する。
【００３３】
図２は、バックアップデータカード３０が携帯電話充電器２０に装着されている状態で、携帯電話端末１０を携帯電話充電器２０に装着する場合の例を示す説明図である。携帯電話端末１０が携帯電話充電器２０に装着されると、携帯電話端末１０は携帯電話充電器２０を介してバックアップデータカード３０にバックアップデータを登録する。
【００３４】
復号装置５０は、記憶部５１と、暗号キー生成部５２と、暗号キー登録部５３と、暗号キーデータカード読取部５４と、暗号データ読取部５５と、暗号データ復号部５６と、復号データ登録部５７と、使用者認証情報暗号部５８と、認証部５９と、データ入出力インタフェース６０とを備えている。ここで復号装置５０は、携帯事業者が保有しているコンピュータ装置等が考えられる。
【００３５】
データ入出力インタフェース６０は、復号装置５０と他の記憶装置とのデータの送受信を行う。データ入出力インタフェース６０の例として、ＵＳＢ（Universal Serial Bus）コネクタや、ＳＤカードアダプタなどが挙げられるが、データ入出力インタフェース６０は、ＵＳＢコネクタや、ＳＤカードアダプタに限定されない。
【００３６】
記憶部５１は、使用者認証情報、使用者認証情報を暗号化する時に使用する使用者認証情報用暗号キー、暗号キー等を記憶する記憶装置である。本実施形態では、記憶部５１は復号装置５０内に備えられている場合を例に説明しているが、記憶部５１は別の装置に備えてられていてもよい。
【００３７】
暗号キー生成部５２は、携帯電話端末１０がバックアップの対象とするデータを暗号化するときに使用する暗号キー、及び使用者認証情報用暗号キーを作成する。暗号キー、及び使用者認証情報用暗号キーの例として、秘密鍵が挙げられるが、暗号キー、及び使用者認証情報用暗号キーは秘密鍵に限定されない。また、秘密鍵の生成方法は広く知られているため、ここでは説明を省略する。なお、暗号キー、及び使用者認証情報用暗号キーが既に作成されている場合であれば、復号装置５０は暗号キー生成部５２を備えていなくてもよい。
【００３８】
暗号キー登録部５３は、データ入出力インタフェース６０を介して、携帯電話端末１０の記憶部１１、及び暗号キーデータカード４０に暗号キーを登録する。また、暗号キー登録部５３は、暗号キー及び使用者認証情報用暗号キーを記憶部５１に登録する。
【００３９】
暗号キーデータカード読取部５４は、データ入出力インタフェース６０を介して、暗号キーデータカード４０に記憶された暗号キー、及び暗号化使用者認証情報を読み取る。例えば、暗号キーデータカード読取部５４は、暗号キーデータカード４０が復号装置５０に装着されたときに、暗号キーデータカード４０から暗号キー、及び暗号化使用者認証情報を読み取る。
【００４０】
暗号データ読取部５５は、データ入出力インタフェース６０を介して、バックアップデータカード３０に記憶されたバックアップデータを読み取る。例えば、暗号データ読取部５５は、バックアップデータカード３０が復号装置５０に装着されたときに、バックアップデータカード３０からバックアップデータを読み取る。
【００４１】
暗号データ復号部５６は、暗号キーデータカード読取部５４が暗号キーデータカード４０から読み取った暗号キーを使用して、暗号データ読取部５５がバックアップデータカード３０から読み取ったバックアップデータを復号した復号データを作成する。
【００４２】
復号データ登録部５７は、暗号データ復号部５６が復号した復号データを、データ入出力インタフェース６０を介して携帯電話端末１０の記憶部１１に登録する。
【００４３】
使用者認証情報暗号部５８は、使用者認証情報用暗号キーを用いて使用者認証情報を暗号化する。暗号化の方法の例として、共通鍵方式による暗号化アルゴリズムを使用する方法などがあげられるが、暗号化の方法は、共通鍵方式による暗号化アルゴリズムを使用する場合に限定されない。また、共通鍵方式による暗号化アルゴリズムについては広く知られているため、ここでは詳細な説明は省略する。
【００４４】
また、使用者認証情報暗号部５８は、携帯電話端末１０の使用者に対応する使用者認証情報を暗号化して暗号キーデータカード４０に登録する。例えば、使用者認証情報暗号部５８は、暗号キーデータカード４０が復号装置５０に装着されたときに、暗号キーデータカード４０に暗号化使用者認証情報を登録する。
【００４５】
認証部５９は、暗号キーデータカード４０に記憶された暗号化使用者認証情報をもとに、携帯電話端末１０の使用者かどうか判断する。例えば、認証部５９は、データ入出力インタフェース６０を介して、暗号キーデータカード４０から暗号化使用者認証情報を読み取る。読み取った暗号化使用者認証情報を使用者認証情報用暗号キーを用いて復号し、復号した使用者認証情報をもとに使用者かどうか判断してもよい。
【００４６】
使用者の判断方法としては、例えば、使用者認証情報に生体認証情報が含まれている場合であれば、例えば、復号装置５０の入力部（図示せず）を介して使用者の生体認証情報を検知したときに、その検知した生体認証情報と使用者認証情報内の生体認証情報とを比較して、使用者であることを判断してもよい。
【００４７】
また、例えば、使用者認証情報にパスワードが含まれている場合であれば、例えば、復号装置５０の入力部（図示せず）を介してパスワードが入力されたときに、その入力されたパスワードと使用者認証情報内のパスワードを比較して、使用者であることを判断してもよい。
【００４８】
使用者の認証方法は、様々な方法が考えられ、上記に示した方法に限定されない。
【００４９】
暗号キー生成部５２と、暗号キー登録部５３と、暗号キーデータカード読取部５４と、暗号データ読取部５５と、暗号データ復号部５６と、復号データ登録部５７と、使用者認証情報暗号部５８と、認証部５９とは、例えば、プログラムに従って動作する復号装置５０のＣＰＵによって実現される。例えば、プログラムは、復号装置５０の記憶部５１に記憶され、ＣＰＵは、そのプログラムを読み取り、プログラムに従って暗号キー生成部５２、暗号キー登録部５３、暗号キーデータカード読取部５４、暗号データ読取部５５、暗号データ復号部５６、復号データ登録部５７、使用者認証情報暗号部５８、及び認証部５９として動作してもよい。
【００５０】
復号装置５０は、例えば、汎用のパソコンであってもよい。この場合、汎用のパソコンのＣＰＵが上記プログラムを読み取り、そのプログラムに従って、暗号キー生成部５２、暗号キー登録部５３、暗号キーデータカード読取部５４、暗号データ読取部５５、暗号データ復号部５６、復号データ登録部５７、使用者認証情報暗号部５８、及び認証部５９として動作してもよい。
【００５１】
次に、動作について説明する。なお。以下の説明では、携帯電話事業者が復号装置５０を所持しており、携帯電話端末１０の使用者は、携帯電話事業者から携帯電話端末１０と、携帯電話充電器２０と、バックアップデータカード３０と、暗号キーデータカード４０とを供給される場合について説明する。また、バックアップデータカード３０は既に携帯電話充電器２０に装着されている場合を例に説明する。
【００５２】
図３は、携帯電話事業者が、新規携帯電話端末１０、及び暗号キーデータカード４０を使用者に供給するまでの処理の例を示すフローチャートである。
【００５３】
例えば、携帯電話事業者の指示に応じて、復号装置５０が暗号キーの生成の指示を検知すると、暗号キー生成部５２は、新規に暗号キーを生成する。例えば、携帯電話端末１０が復号装置５０に接続されると、暗号キー登録部５３は、携帯電話端末１０の記憶部１１に生成した暗号キーを登録する（ステップＳ１１）。その後、例えば、復号装置５０に暗号キーデータカード４０が装着されたときに、暗号キー登録部５３は、携帯電話端末１０に登録した暗号キーと同一の暗号キーを暗号キーデータカード４０に登録する（ステップＳ１２）。
【００５４】
また、例えば、携帯電話事業者の操作に応じて、復号装置５０が使用者認証用暗号キーの生成の指示を検知すると、暗号キー生成部５２は、暗号キーとは別の使用者認証用暗号キーを生成する。その後、例えば、復号装置５０に暗号キーデータカード４０が装着されたときに、使用者認証情報暗号部５８は、生成した使用者認証用暗号キーを用いて、使用者認証情報を暗号化する。暗号キー登録部５３は、生成された暗号化使用者認証情報を暗号キーデータカード４０に登録する（ステップＳ１３）。
【００５５】
暗号キー登録部５３は、暗号キー生成部５２が生成した使用者認証用暗号キーを、記憶部５１に記憶させる。
【００５６】
図４は、携帯電話端末１０の使用者が携帯電話端末１０を充電する場合の例を示すフローチャートである。
【００５７】
例えば、携帯電話端末１０の使用者が携帯電話端末１０を携帯電話充電器２０に接続すると（ステップＳ２１）、データ登録部１２は記憶部１１に記憶された暗号キーを用いてバックアップデータを作成し、そのバックアップデータをバックアップデータカード３０に登録する（ステップＳ２２）。
【００５８】
図５は、携帯電話事業者において、携帯電話端末１０にバックアップデータを復元する場合の例を示すフローチャートである。以下の説明では、復号装置５０を所持する携帯電話事業者にバックアップデータの復元を依頼するため、携帯電話端末１０の使用者が、携帯電話充電器２０、バックアップデータカード３０、及び暗号キーデータカード４０を携帯電話事業者に提出する場合を例に説明する。
【００５９】
例えば、携帯電話事業者が、受け取った暗号キーデータカード４０を復号装置５０に装着すると、暗号キーデータカード読取部５４は、暗号キーデータカード４０に記憶された暗号化使用者認証情報を読み取り、記憶部５１に記憶されている使用者認証用暗号キーを使用して暗号化使用者認証情報を復号する。認証部５９は、復号された使用者認証情報をもとに、本人確認を行う（ステップＳ３１）。
【００６０】
また、暗号キーデータカード読取部５４は、暗号キーデータカード４０に記憶された暗号キーを併せて読み取る（ステップＳ３２）。
【００６１】
携帯電話事業者は、受け取ったバックアップデータカード３０を携帯電話充電器２０から取り外す。例えば、携帯電話事業者が、バックアップデータカード３０を復号装置５０に装着し（ステップＳ３３）、携帯電話端末１０を復号装置５０に接続すると（ステップＳ３４）、暗号データ読取部５５は、バックアップデータカード３０に記憶されたバックアップデータを読み取る。暗号データ復号部５６は、読み取ったバックアップデータを復号し、復号データ登録部５７は、携帯電話端末１０の記憶部１１に復号データを登録する（ステップＳ３５）。
【００６２】
図６は、復号装置５０から、携帯電話端末１０にバックアップデータを復元する場合の例を示す説明図である。復号装置５０は、暗号キーデータカード４０登録した暗号キー及び暗号化使用者認証情報を、再度その暗号キーデータカード４０から読み取り、さらに、バックアップデータカード３０に記憶されたバックアップデータを読み取る。復号装置５０は、読み取ったバックアップデータを暗号キーを用いて復号し、復号したデータを携帯電話端末１０に復元する。
【００６３】
本発明によれば、携帯電話端末１０が、携帯電話端末１０に記憶されたデータを暗号化するための暗号キーを使用してバックアップデータを作成し、携帯電話端末１０が、携帯電話端末１０に対して充電を行う携帯電話充電器２０に接続されたときに、携帯電話充電器２０に接続された着脱可能な記憶媒体であるバックアップデータカード３０にバックアップデータを登録し、復号装置５０が、暗号キー、及び暗号化使用者認証情報とを記憶する暗号キーデータカード４０が接続されたときに、暗号キーデータカード４０に記憶された暗号キー、及び暗号化使用者認証情報を読み取り、復号装置５０が、暗号化使用者認証情報を使用者認証情報用暗号キーを使用して復号し、復号装置５０が、復号された使用者認証情報と、記憶部５１に記憶された認証情報とを比較して携帯電話端末１０の使用者を認証し、復号装置５０が、バックアップデータカード３０が接続され認証に成功しているときに、バックアップデータカード３０に記憶されたバックアップデータを復号した復号データを作成し、復号装置５０が、復号データを携帯電話端末１０に登録する。よって、バックアップデータの作成を簡易に行うとともに、そのバックアップデータを安全かつ簡易に復元できる。
【００６４】
すなわち、携帯電話端末１０の使用者は、データバックアップのための操作を別途行う必要がないため、バックアップ作業を意識する必要がない。そのため、バックアップ忘れを防止し、高い頻度でバックアップデータをとることができる。万が一携帯電話端末に記憶されたデータを喪失した場合でも、充電の度にバックアップを行っているため、その喪失データは、前回充電時からの差分（例えば、前回充電時から追加されたデータやメール等の送受信履歴など）に限定される。
【００６５】
また、バックアップを行うデータを暗号化することにより、バックアップデータを安全に管理できる。さらに、例えば、復号装置５０を携帯電話事業者が所持することにより、第三者（携帯電話端末１０の使用者を含む）が復号の手段を持つことがない。そのため、仮にバックアップデータカード３０を紛失したり、誤って廃棄したりした場合であっても、バックアップデータ流出の危険性を抑えることができる。
【００６６】
さらに、バックアップデータの復元は、例えば、携帯電話事業者が所持する復号装置５０によって行われる。そのため、携帯電話端末１０の使用者はバックアップデータを携帯電話端末１０に復元する手段を有しない。したがって、使用者がバックアップデータを既存のデータに上書きしてしまうといった誤った操作によるデータの消失を防ぐことができる。
【００６７】
さらに、バックアップデータを作成するための暗号キーを、別途暗号キーデータカード４０に記憶し、それを携帯電話端末１０の使用者が所有する。そのため、バックアップデータカード３０が盗難等にあった場合でも、暗号キーを別途管理しているため、バックアップデータの情報流出の危険性を抑えることができる。
【００６８】
さらに、暗号キーデータカード４０は使用者を認証するための使用者認証情報を記憶している。そのため、バックアップデータカード３０に加え、その暗号キーデータカード４０も盗難等にあった場合でも、暗号キーデータカード４０に記憶された使用者認証情報をもとに使用者の認証を行うことが可能となる。したがって、第三者によるバックアップデータの不正利用を防止できる。
【００６９】
実施形態２．
図７は、本発明の第２の実施形態におけるデータバックアップシステムを示すブロック図である。なお、第１の実施形態と同様の構成については、図１と同一の符号を付し、説明を省略する。本実施形態によるデータバックアップシステムは、図１に示す携帯電話端末１０と、携帯電話充電器２０と、バックアップデータカード３０と、暗号キーデータカード４０と、復号装置５０とを備え、さらに、携帯電話端末７０を備えている。
【００７０】
携帯電話端末７０は、携帯電話端末１０とは別の携帯電話端末であり、携帯電話端末１０と共通のフォーマットのデータを扱う。携帯電話端末７０は、例えば、携帯電話端末１０が使用不可能となった場合の代替機である。
【００７１】
携帯電話端末７０は、記憶部７１とデータ登録部７２とを備えている。記憶部７１及びデータ登録部７２の機能は、それぞれ、図１に示す記憶部１１及びデータ登録部１２と同様である。
【００７２】
次に、動作について説明する。なお。以下の説明では、携帯電話端末の使用者が所持する携帯電話端末１０が紛失、破損等したことにより、その使用者が携帯電話事業者から携帯電話端末１０とは別の新規携帯電話端末７０を受け取る場合を例について説明する。また、バックアップデータカード３０は既に携帯電話充電器２０に装着されている場合を例に説明する。
【００７３】
図３の例に示す、暗号キーデータカード４０への暗号キー及び暗号化使用者認証情報の書き込み（ステップＳ１１〜Ｓ１３）、及び図４の例に示す、バックアップデータカード３０へのバックアップデータの書き込み（ステップＳ２１〜Ｓ２２）までの処理は、第１の実施形態と同様である。
【００７４】
図８は、携帯電話事業者において、新規の携帯電話端末７０にバックアップデータを書き込む処理の例を示すフローチャートである。以下の説明でも第１の実施形態と同様に、復号装置５０を所持する携帯電話事業者にバックアップデータの復元を依頼するため、携帯電話端末１０の使用者が、携帯電話充電器２０、バックアップデータカード３０、及び暗号キーデータカード４０を携帯電話事業者に提出する場合を例に説明する。
【００７５】
暗号キーデータカード４０が復号装置５０に装着されてから、認証部５９が本人確認を行い、暗号キーデータカード読取部５４が、暗号キーデータカード４０に記憶された暗号キーを読み取ったあと、バックアップデータカード３０が復号装置５０に装着されるまでの処理は、図５のステップＳ３１〜Ｓ３３に示す処理と同様である。
【００７６】
例えば、携帯電話事業者が、バックアップデータカード３０を復号装置５０に装着し（ステップＳ３３）、新規の携帯電話端末７０を復号装置５０に接続すると（ステップＳ４１）、暗号キー登録部５３は、記憶部５１に記憶された暗号キーを、携帯電話端末７０の記憶部７１に登録する（ステップＳ４２）。
【００７７】
その後、暗号データ読取部５５は、バックアップデータカード３０に記憶されたバックアップデータを読み取る。暗号データ復号部５６は、読み取ったバックアップデータを復号し、復号データ登録部５７は、携帯電話端末７０の記憶部７１に復号データを登録する（ステップＳ４３）。
【００７８】
図９は、復号装置５０から、新規の携帯電話端末７０にバックアップデータを復元する場合の例を示す説明図である。復号装置５０は、暗号キーデータカード４０登録した暗号キー及び暗号化使用者認証情報を、再度その暗号キーデータカード４０から読み取り、さらに、バックアップデータカード３０に記憶されたバックアップデータを読み取る。復号装置５０は、読み取ったバックアップデータを暗号キーを用いて復号し、復号したデータを携帯電話端末７０に復元する。
【００７９】
本発明によれば、実施形態１の効果に加え、復号装置５０が暗号キーデータカード４０から読み取った暗号キーを携帯電話端末７０に登録する。よって、新規の携帯電話端末７０に既存の携帯電話端末１０と同一のバックアップ環境を簡易に作成することができる。
【００８０】
図１０は、本発明におけるデータバックアップシステムの最小構成を示すブロック図である。本発明によるデータバックアップシステムは、一の携帯端末８０（例えば、携帯電話端末１０）と、一の携帯端末８０が接続されたときに、一の携帯端末８０に対して充電を行う充電器８４（例えば、携帯電話充電器２０）と、充電器８４に着脱可能な記憶媒体であるデータ記憶媒体８５（例えば、バックアップデータカード３０）と、一の携帯端末８０に記憶されたデータを暗号化するためのデータ暗号鍵（例えば、暗号キー）、及び一の携帯端末８０の使用者を識別する認証情報（例えば、使用者認証情報）を暗号化した暗号化認証情報（例えば、暗号化使用者認証情報）とを記憶する暗号情報記憶媒体８６（例えば、暗号キーデータカード４０）と、バックアップデータを復号して、一の携帯端末８０又は他の携帯端末（例えば、携帯電話端末７０）にリストアする復号装置９０（例えば、復号装置５０）とを備えている。
【００８１】
一の携帯端末８０は、データ暗号鍵を記憶するデータ暗号鍵記憶手段８１（例えば、記憶部１１）と、データ暗号鍵を使用して一の携帯端末８０に記憶されたデータを暗号化したバックアップデータを作成する暗号化手段８２（例えば、データ登録部１２）と、一の携帯端末８０が充電器８４に接続されたときに、充電器８４に装着されたデータ記憶媒体８５にバックアップデータを登録するデータ登録手段８３（例えば、データ登録部１２）とを備えている。
【００８２】
復号装置９０は、認証情報と認証情報を暗号化するための認証情報暗号鍵（例えば、使用者認証情報用暗号キー）とを記憶する復号装置記憶手段９１（例えば、記憶部５１）と、暗号情報記憶媒体８６が装着されたときに、暗号情報記憶媒体８６に記憶されたデータ暗号鍵、及び暗号化認証情報を読み取る暗号情報読取手段９２（例えば、暗号キーデータカード読取部５４）と、暗号情報読取手段９２が読み取った暗号化認証情報を認証情報暗号鍵を使用して復号する認証情報復号手段９３（例えば、認証部５９）と、認証情報復号手段９３が復号した認証情報と復号装置記憶手段９１に記憶された認証情報とを比較して一の携帯端末８０の使用者を認証する認証手段９４（例えば、認証部５９）と、データ記憶媒体８５が接続され認証に成功しているときに、暗号情報読取手段９２が読み取ったデータ暗号鍵を使用してデータ記憶媒体８５に記憶されたバックアップデータを復号した復号データを作成するデータ復号手段９５（例えば、暗号データ読取部５５、暗号データ復号部５６）と、復号データを一の携帯端末８０又は他の携帯端末に登録する復号データ登録手段９６（例えば、復号データ登録部５７）とを備えている。
【００８３】
そのような構成により、バックアップデータの作成を簡易に行うとともに、そのバックアップデータを安全かつ簡易に復元できる。
【００８４】
すなわち、携帯端末８０の使用者は、データバックアップのための操作を別途行う必要がないため、バックアップ作業を意識する必要がない。そのため、バックアップ忘れを防止し、高い頻度でバックアップデータをとることができる。万が一携帯電話端末に記憶されたデータを喪失した場合でも、充電の度にバックアップを行っているため、その喪失データは、前回充電時からの差分（例えば、前回充電時から追加されたデータやメール等の送受信履歴など）に限定される。
【００８５】
また、バックアップを行うデータを暗号化することにより、バックアップデータを安全に管理できる。さらに、例えば、復号装置９０を携帯電話事業者が所持することにより、第三者（携帯端末８０の使用者を含む）が復号の手段を持つことがない。そのため、仮にデータ記憶媒体８５を紛失したり、誤って廃棄したりした場合であっても、バックアップデータ流出の危険性を抑えることができる。
【００８６】
さらに、バックアップデータの復元は、例えば、携帯電話事業者が所持する復号装置９０によって行われる。そのため、携帯端末８０の使用者はバックアップデータを携帯端末８０に復元する手段を有しない。したがって、使用者がバックアップデータを既存のデータに上書きしてしまうといった誤った操作によるデータの消失を防ぐことができる。
【００８７】
さらに、バックアップデータを作成するための暗号キーを、別途暗号情報記憶媒体８６に記憶し、それを携帯端末８０の使用者が所有する。そのため、データ記憶媒体８５が盗難等にあった場合でも、暗号キーを別途管理しているため、バックアップデータの情報流出の危険性を抑えることができる。
【００８８】
さらに、暗号情報記憶媒体８６は使用者を認証するための使用者認証情報を記憶している。そのため、データ記憶媒体８５に加え、その暗号情報記憶媒体８６も盗難等にあった場合でも、暗号情報記憶媒体８６に記憶された使用者認証情報をもとに使用者の認証を行うことが可能となる。したがって、第三者によるバックアップデータの不正利用を防止できる。
【００８９】
また、上記実施形態には、暗号情報読取手段９２が読み取ったデータ暗号鍵を他の携帯端末（例えば、携帯電話端末７０）に登録する第１データ暗号鍵登録手段（例えば、暗号キー登録部５３）を備えた構成が開示されている。
【００９０】
そのような構成により、新規の携帯端末に既存の携帯端末と同一のバックアップ環境を簡易に作成することができる。
【００９１】
また、上記実施形態には、復号装置５０が、データ暗号鍵を生成するデータ暗号鍵生成手段（例えば、暗号キー生成部５２）と、データ暗号鍵を、暗号情報記憶媒体８６、及び一の携帯端末８０に登録する第２データ暗号鍵登録手段（例えば、暗号キー登録部５３）とを備えた構成が開示されている。
【００９２】
また、上記実施形態には、復号装置５０が、復号装置記憶手段９１に記憶された認証情報を、認証情報暗号化キーを使用して暗号化した暗号化認証情報を作成する認証情報暗号化手段（例えば、使用者認証情報暗号部５８）と、暗号化認証情報を暗号情報記憶媒体８６に登録する暗号化認証情報登録手段（例えば、使用者認証情報暗号部５８）とを備えた構成が開示されている。
【００９３】
また、暗号情報記憶媒体８６が、暗号化認証情報として、一の携帯端末８０の使用者を識別するために生体認証で用いられる生体認証情報を含む認証情報を暗号化した暗号化認証情報を記憶し、復号装置記憶手段９１が、認証情報を記憶し、認証手段が、認証情報復号手段９３が復号した生体認証情報と、復号装置記憶手段９１に記憶された認証情報に含まれる生体認証情報とを比較して一の携帯端末８０の使用者を認証してもよい。
【産業上の利用可能性】
【００９４】
本発明は、携帯端末に記憶されたデータをバックアップするデータバックアップシステムに好適に適用される。
【符号の説明】
【００９５】
１０、７０  携帯電話端末
２０  携帯電話充電器
３０  バックアップデータカード
４０  暗号キーデータカード
５０  復号装置
【図１】
2010199979.tif 000003
【図２】
2010199979.tif 000004
【図３】
2010199979.tif 000005
【図４】
2010199979.tif 000006
【図５】
2010199979.tif 000007
【図６】
2010199979.tif 000008
【図７】
2010199979.tif 000009
【図８】
2010199979.tif 000010
【図９】
2010199979.tif 000011
【図１０】
2010199979.tif 000012